(57)【特許請求の範囲】
【請求項１】
光伝送システムにおける伝送速度変換装置において、
光信号を、異なる波長のチャネルに逆多重化する逆多重化器と、
前記逆多重化された光信号を対応する電気信号に変換し、伝送速度不適合信号を生成し、温度基準信号を生成する感知部を有する、前記逆多重化手段の出力に結合された複数の伝送速度受信器と、
前記出力された光信号の伝送速度を示す信号を発生する、前記逆多重化器の出力に結合された検出部と、
前記検出部によって検出された伝送速度と、前記伝送速度受信器の伝送速度を調整するために使用される制御信号を発生するための所定のデータとを比較する制御装置と、
から構成されることを特徴とする伝送度変換装置。
【請求項２】
前記変換された電気信号を、前記各伝送速度受信器から遠隔地へ出力するスイッチをさらに備えることを特徴とする請求項１記載の伝送速度変換装置。
【請求項３】
前記複数の伝送速度受信器から生成された前記伝送速度不適合信号を直列信号に変換するための並列／直列変換部と、前記並列／直列変換部から出力された前記直列信号を並列信号として前記制御装置に提供するための直列／並列変換部とをさらに備えることを特徴とする請求項１記載の伝送速度変換装置。
【請求項４】
前記伝送速度受信器の温度を示す信号をディジタル信号として前記制御装置に提供するための第１アナログ／ディジタル変換部をさらに備えることを特徴とする請求項１記載の伝送速度変換装置。
【請求項５】
前記検出部によって検出された伝送速度を示す信号を、ディジタル信号として前記制御装置に提供するための第２アナログ／ディジタル変換部をさらに備えることを特徴とする請求項１記載の伝送速度変換装置。
【請求項６】
前記所定のデータは、前記該当基準伝送速度を有する基準温度のリストを含むことを特徴とする請求項１記載の伝送速度変換装置。
【請求項７】
前記制御装置は、前記伝送速度不適合信号に応答して、前記検出部によって検出された伝送速度と、前記温度基準信号とを比較することを特徴とする請求項１記載の伝送速度変換装置。
【請求項８】
前記制御装置は、前記温度基準信号を基にした前記制御信号と、前記所定のデータを有する前記温度基準信号を基にして受信された前記伝送速度不適合信号とを生成することを特徴とする請求項１記載の伝送速度変換装置。
【請求項９】
前記伝送速度受信器によって検出された伝送速度と既設定された伝送速度との差を基にして生成される前記伝送速度不適合信号を生成する手段をさらに備えることを特徴とする請求項１記載の伝送速度変換装置。
【請求項１０】
光伝送システムにおける伝送速度変換装置において、
入力電気信号を対応する光信号に変換し、伝送速度不適合信号を生成し、温度基準信号を生成する感知部を有する複数の伝送速度受信器と、
前記複数の伝送速度受信器から出力された前記変換された光信号を多重化する多重化器と、
前記電気信号の伝送速度を示す信号を発生する、前記多重化器の出力に結合された検出部と、
前記検出部によって検出された伝送速度と、前記伝送速度受信器の伝送速度を調整するために使用される制御信号を発生するための所定のデータとを比較する制御装置と、
から構成されることを特徴とする伝送速度変換装置。
【請求項１１】
前記入力電気信号を前記複数の伝送速度受信器に提供するスイッチをさらに備えることを特徴とする請求項１０記載の伝送速度変換装置。
【請求項１２】
前記複数の伝送速度受信器から生成された前記伝送速度不適合信号を直列信号に変換するための並列／直列変換部と、前記並列／直列変換部から出力された前記直列信号を並列信号として前記制御装置に提供するための直列／並列変換部とをさらに備えることを特徴とする請求項１０記載の伝送速度変換装置。
【請求項１３】
前記伝送速度受信器の温度を示す信号をディジタル信号として前記制御装置に提供するための第１アナログ／ディジタル変換部をさらに備えることを特徴とする請求項１０記載の送速度変換装置。
【請求項１４】
前記検出部によって検出された伝送速度を示す信号をディジタル信号として前記制御装置に提供するための第２アナログ／ディジタル変換部をさらに備えることを特徴とする請求項１０記載の伝送速度変換装置。
【請求項１５】
前記所定のデータは、前記該当基準伝送速度を有する基準温度のリストを含むことを特徴とする請求項１０記載の伝送速度変換装置。
【請求項１６】
前記制御装置は、前記伝送速度不適合信号に応答して、前記検出部によって検出された伝送速度と、前記温度基準信号とを比較することを特徴とする請求項１０記載の伝送速度変換装置。
【請求項１７】
前記制御装置は、前記温度基準信号を基にした前記制御信号と、前記所定のデータを有する前記温度基準信号を基にして受信された前記伝送速度不適合信号とを生成することを特徴とする請求項１０記載の伝送速度変換装置。
【発明の詳細な説明】
【０００１】
【発明の属する技術分野】
本発明は、光伝送システムに関し、特に、光交差接続(optical cross-connection: ＯＸＲ)装置における自己診断伝送速度変換装置に関する。
【０００２】
【従来の技術】
一般的に、光伝送システムでは、多様なプロトコル及び伝送速度(bit rate)が採用できる。前記プロトコルとしては、例えば、ＦＤＤＩ(Fiber Distributed Data Interface)、ＥＳＣＯＮ(Enterprise System CONnectivity)、光ファイバチャネル(optical fiber channel)、ギガビットイーサネット（登録商標）(Gigabit Ethernet（登録商標）)、ＡＴＭ(Asynchronous Transfer Mode)などがあり、その伝送速度は、それぞれ１２５Ｍｂ／ｓ、１５５Ｍｂ／ｓ、２００Ｍｂ／ｓ、６２２Ｍｂ／ｓ、１０６２Ｍｂ／ｓ、１.２５Ｇｂ／ｓ、２.５Ｇｂ／ｓである。
【０００３】
前記のような多様なプロトコル及び伝送速度のうち、該当光伝送システムには１つのプロトコル及び伝送速度が採用される。１つのプロトコル及び伝送速度が採用される光伝送システムでは、光信号の伝送速度が既設定されているので、中継器や端末機などに設置される光受信器は、前記既設定されたプロトコル及び伝送速度に対して専用に動作するように設計される。通常的に、ディジタルデータを伝送するシステム、特に、光リンク上で、伝送の品質は前記送信器及び受信器の性能に大きく依存している。
【０００４】
図１は、従来のシステムによる電気スイッチを使用する光交差接続装置を示すブロック図である。図１のように、従来の光交差接続装置は、入力光信号をチャネル別に逆多重化して出力する逆多重化器１０６と、逆多重化器１０６から出力されたチャネル別の光信号１０１を電気信号に変換して出力する複数の固定伝送速度光電変換器１０２と、固定伝送速度光電変換器１０２からの電気信号をパスルーチングして出力する光交差接続スイッチ１０３と、光交差接続スイッチ１０３の各出力ポートから出力された電気信号を前記該当光信号に変換して出力する複数の固定伝送速度電気光変換器１０４と、固定伝送速度電気光変換器１０４から出力された光信号１０５を１つの光ファイバを通して多重化して出力する多重化器１０７と、から構成される。前記のような従来の交差接続スイッチ１０３が制御器１０８に連結されることによって、データの入出力が制御される。
【０００５】
しかしながら、前記従来の光伝送システムにおける光交差接続装置は、固定伝送速度光電変換器(光受信器)及び固定伝送速度電気光変換器(光送信器)を内蔵しているので、一定形態の固定的な伝送フォーマットのみで接続が遂行されるという問題点がある。つまり、伝送フォーマット及びそれによる伝送速度の変化に適応する能力が欠けている。従って、交差接続能力の遂行が固定的なデータネットワークのみに限定されるので、多重伝送及びネットワーク運営において問題点が発生する。
【０００６】
本出願人によって２０００年７月２０日付けで出願済みのアメリカ特許出願番号第０９／６２１,００９号(発明の名称: 伝送速度無依存性の光受信方法及び装置)は、伝送速度を通知するデータＤＣ(Direct Current)レベル値のみを使用して伝送速度変換を認知する構造で、それぞれの送受信部に制御部を内蔵して伝送速度の変換を認知する。しかしながら、また他の中央制御部を内蔵するようになり、費用の面で問題点が発生した。さらに、伝送速度情報をデータＤＣレベル値のみに依存することによって、温度の変化がある時は、伝送速度の判別にエラーが発生するようになる。
【０００７】
【発明が解決しようとする課題】
前記のような従来技術の課題を解決するための本発明の目的は、光ネットワークにおいて伝送速度が維持できる自己診断伝送速度変換装置を提供することである。
特に、本発明は、外的環境要素、特に、温度変化に積極的に補償できる伝送装置を提供する。
【０００８】
【課題を解決するための手段】
前記のような目的を達成するために、本発明は、入力光信号を相違する波長のチャネルに逆多重化して出力する逆多重化器と、温度基準信号を生成する感知部を有し、前記逆多重化された光信号を前記該当電気信号に変換して伝送速度不適合信号を生成する前記逆多重化手段の出力に結合される複数のビットレート受信器と、前記出力された光信号の伝送速度を示す信号を発生する前記逆多重化器の出力に結合された検出部と、前記検出部によって検出された伝送速度と、前記伝送速度受信器の伝送速度を調整するために使用される制御信号を発生するための所定データと、を比較する制御装置と、から構成される光伝送システムを提供する。
【０００９】
【発明の実施の形態】
以下、本発明による好適な一実施形態を添付図面を参照しつつ詳細に説明する。下記説明において、本発明の要旨を明確にするために関連した公知機能または構成に対する具体的な説明は省略する。
図２は、本発明の実施形態による電気スイッチを使用する光伝送システムにおける光交差接続装置を示すブロック図である。図２の光伝送システムは、入力光信号をチャネル別に逆多重化して出力する逆多重化器１１０と、前記逆多重化器１１０から出力された光信号をそれぞれ電気信号に変換する複数のＢＩＣＤＲ (Bit rate Independent Clock and Data Recover:以下、ＢＩＣＤＲと称する)受信器１２０と、前記ＢＩＣＤＲ受信器１２０から入力された電気信号をパスルーチングして出力するＮ×Ｎ交差接続スイッチ１３０と、前記交差接続スイッチ１３０の各出力ポートから出力された電気信号を再び光信号に変換する複数のＢＩＣＤＲ送信器１４０と、前記ＢＩＣＤＲ送信器１４０から印加された信号を多重化して光信号として出力する多重化器１５０と、を含む。前記ＢＩＣＤＲ受信器１２０の機能は、前記変換中にクロック及びデータ再生すると同時に、光信号を前記該当電気信号に変換することである。前記再生されたクロック及びデータは、交差接続スイッチ１３０に適用される。この時、前記変換された電気信号の伝送速度が各ＢＩＣＤＲ受信器１２０に既設定された伝送速度と同一でない場合、各ＢＩＣＤＲ受信器１２０は、伝送速度不適合信号、つまり、ＰＬＬロック離脱信号を出力する。この技術は、アメリカ特許出願番号第０９／６２１,００９号に開示されている。
【００１０】
実施形態において、各ＢＩＣＤＲ受信器１２０は、温度を感知して温度感知信号を提供する温度感知部１２１と、前記逆多重化器１１０から出力された光信号の各伝送速度を示すＤＣレベル値を検出する第１ＤＣレベル値検出部１６２と、該当ＢＩＣＤＲ受信器１２０の温度感知部１２１から温度感知信号を受信し、前記逆多重化器１１０から出力された光信号の各伝送速度を示すＤＣレベル値を受信し、各ＢＩＣＤＲ受信器１２０から伝送速度不適合信号を受信する制御装置１８０と、から構成される。ここで、前記逆多重化器１１０からＢＩＣＤＲ受信器１２０に提供される光信号と第１ＤＣレベル値検出部１６２に提供される光信号は同一である。
【００１１】
また、本発明による自己診断伝送速度変換装置は、前記ＢＩＣＤＲ受信器１２０から出力された伝送速度不適合信号を示すＰＬＬ信号を直列信号に変換させるための第１並列／直列変換部１２２(Parallel to Serial Converter: 以下、ＰＳＣと称する)と、前記第１並列／直列変換部１２２から出力された直列信号を制御装置１８０のＣＰＵ１８１に並列信号として提供するための第１直列／並列変換部１８２ (Serial to Parallel Converter: 以下、ＳＰＣと称する)と、をさらに備える。また、前記制御装置１８０は、ＢＩＣＤＲ受信器１２０の温度感知部１２１から提供された温度感知信号を前記該当ディジタル信号に変換するための第１アナログ／ディジタル変換部１８４(Analog to Digital Converter: 以下、ＡＤＣと称する)をさらに備える。また、前記ＤＣレベル検出部１６２から提供されたＤＣレベル値を変換して制御装置１８０にディジタル信号として提供する第２アナログ／ディジタル変換部を備える。
【００１２】
以下、本発明による自己診断伝送速度変換装置の動作を詳細に説明する。
本発明の実施形態によると、前記逆多重化器１１０を通過して入力された光信号は、波長によって相違するチャネルに逆多重化される。前記逆多重化器から逆多重化された光信号は、前記該当電気信号に変換される。ここで、クロック及びデータは、前記変換された電気信号の伝送速度によって逆多重化された信号によって再生され、前記それぞれのＢＩＣＤＲ受信器１２０に伝送される。次に、前記ＢＩＣＤＲ受信器１２０は、現在の伝送速度が既設定された伝送速度と同一でない場合、伝送速度不適合信号、つまり、ＰＬＬ信号を出力する。前記第１ＰＳＣ１２２は、複数のＢＩＣＤＲ受信器１２０のＰＬＬロック離脱信号を並列／直列に変換して制御装置１８０の第１ＳＰＣ１８２に提供する。前記第１ＳＰＣ１８２は、直列形態の第１ＰＳＣ１２２の出力信号を並列信号形態に変換して制御装置１８０のＣＰＵ１８１に伝送する。
【００１３】
一方、前記第１ＤＣレベル値検出部１６２を備える伝送速度判別信号発生部１６０は、逆多重化器１１０から出力された前記信号を検出し、前記逆多重化器１１０の出力信号の各伝送速度を示すＤＣレベル値を前記制御装置１８０の第２ＡＤＣ１８６に出力する。この時、前記温度感知部１２１によって感知された温度値は、第１ＡＤＣ１８４通して前記ＣＰＵ１８１に提供される。ここで、前記感知された温度値が１５倍増幅すると０.５Ｖ〜４Ｖになるが、前記第１ＡＤＣ１８４は、前記温度値をそれに対応するディジタル値に変換して前記ＣＰＵ１８１に提供する。前記第１ＳＰＣ１８２、前記第１ＡＤＣ１８４、及び前記第２ＡＤＣ１８６を通して相違する３つの値を受信すると、前記ＣＰＵ１８１は、前記受信された情報と所定ルックアップ値とを比較する。前記制御装置１８０において、前記ＤＣレベル値を有する複数の温度リストの所定ルックアップテーブル(図示せず)が提供される。従って前記ＢＩＣＤＲ受信器のいずれか１つから伝送速度不適合信号を検出すると、前記ＣＰＵ１８１は、前記第１ＡＤＣ１８４を通して受信された温度情報によって前記同一のＢＩＣＤＲ受信器の温度を判別する。次に、前記ＣＰＵ１８１は、前記ルックアップデーブルから伝送速度を示す該当ＤＣレベルを検索し、前記検索されたＤＣレベルと前記第２ＡＤＣ１８６を通して第１ＤＣレベル検出器から受信された前記ＤＣレベルとを比較する。前記比較の結果、一致しない場合、前記ＣＰＵ１８１は、前記伝送速度を調整するための制御信号を前記同一のＢＩＣＤＲ受信器１２０に生成する。
【００１４】
従って、前記制御装置１８０は、前記制御された信号をそれぞれのＢＩＣＤＲ受信器１２０に提供してＢＩＣＤＲ受信器１２０の動作伝送速度に変更させることによって、温度変化に対する伝送速度を自分で変換して外部環境に積極的に対応することができるようになる。
以上、本発明によって、光伝送システムの受信部に適用される自己診断伝送速度変換装置に関して説明してきたが、前記変換装置は送信部に適用することも、受信部と送信部の両側に同一に適用することもできる。
【００１５】
図２のように、本発明による自己診断伝送速度変換装置は、送信部側に適用されるために、受信部側に適用された要素を同一に備える。つまり、本発明によって送信部部の伝送速度変換装置は、ＢＩＣＤＲ送信器１４０と、 伝送速度判別信号発生部１７２に含まれる第２ＤＣレベル値検出部１７０と、第２ＰＳＣ１４２と、第２ＳＰＣ１８３と、第３ＡＤＣ１８５と、第４ＡＤＣ１８７と、を備える。前記ＢＩＣＤＲ送信器１４０は、前記温度を示す信号を生成する温度感知部１４１を備える。前記第２ＤＣレベル値検出部１７０は、多重化器１５０から光信号を受信し、ＤＣレベル値を検出して伝送速度判別信号を制御装置１８０に提供する。前記制御装置１８０は、第２ＤＣレベル値検出部１７０からＤＣレベル値を受信し、該当ＢＩＣＤＲ送信器１４０の温度感知部１４１から温度感知信号を受信してメモリに貯蔵された温度による伝送速度と比較した後、該当伝送速度を判別し、前記伝送速度変化を該当ＢＩＣＤＲ送信器１４０の動作伝送速度に変更させる。併せて、本発明によって、前記第２ＰＣＳ１４２は並列信号を直列信号に、前記第２ＳＰＣ１８３は直列信号を並列信号に、前記第３ＡＤＣ１８５及び第４ＡＤＣ１８７はアナログ信号をディジタル信号に変換する。
【００１６】
【発明の効果】
つまり、本発明による自己診断伝送速度変換装置は、外部環境要素、特に、温度変化に積極的に対処することによって、光伝送システムの信頼性を向上させる。前述してきたように、本発明は、温度などの外的環境に関係なく、伝送速度不適合信号及び温度を認知することによって、従来の変換装置より正確に伝送速度を変換することができる。
一方、前記本発明の詳細な説明では具体的な実施形態に挙げて説明してきたが、本発明の範囲内で様々な変形が可能であるということは勿論である。従って、本発明の範囲は前記実施形態によって限られるべきではなく、特許請求の範囲とそれに等価なものによって定められるべきである。
【図面の簡単な説明】
【図１】  従来システムの実施形態による電気スイッチを使用する光交差接続装置を示すブロック図である。
【図２】  本発明の実施形態による電気スイッチを使用する光交差接続装置を示すブロック図である。
【符号の説明】
１１０  逆多重化器
１２０  ＢＩＣＤＲ受信器
１２１  温度感知部
１２２  第１並列／直列変換部
１３０  交差接続スッチ
１４０  ＢＩＣＤＲ送信器
１４１  温度感知部
１４２  第２並列／直列変換部
１５０  多重化器
１６０  伝送速度判別信号発生部
１６２  第１ＤＣレベル値検出部
１７０  第２ＤＣレベル値検出部
１７２  伝送速度判別信号発生部
１８０  制御装置
１８１  ＣＰＵ
１８２  第１直列／並列変換部
１８３  第２直列／並列変換部
１８４  第１アナログ／ディジタル変換部
１８５  第３アナログ／ディジタル変換部
１８６  第２アナログ／ディジタル変換部
１８７  第４アナログ／ディジタル変換部
【図１】
0003725045.tif 000002
【図２】
0003725045.tif 000003